(57)【要約】【課題】  処理時間の予想を正確に実行することが可能な印刷機における予想処理時間演算方法および装置を提供する。【解決手段】各印刷ジョブを実行する毎に、複数のパラメータを含む印刷条件とそのときに要した印刷時間との関係を示すデータを記憶して印刷条件と印刷時間との関係を示すデータベースを作成するデータベース作成工程と、このデータベースに基づいて単位標準時間データを求めて記憶する第１記憶工程と、次に印刷を行う印刷ジョブの印刷条件とデータベースとに基づいて、次に印刷を行う印刷ジョブに要する予想処理時間を補正するための処理時間補正データを作成して記憶する第２記憶工程と、次に印刷を行う印刷ジョブの印刷条件に基づいて単位標準時間データから予想処理時間を演算する演算工程と、処理時間補正データを利用して予想処理時間を補正する補正工程と、を備える。【選択図】        図３
2008046836.tif 000002
【特許請求の範囲】
【請求項１】
印刷ジョブに要する予想処理時間を演算する印刷機における予想処理時間演算方法において、
各印刷ジョブを実行する毎に、印刷枚数、印刷用紙の種類、インキの種類、印刷色数、絵柄面積率、表面または裏面印刷の別、および、印刷機の機内温度のパラメータのうちの複数のパラメータを含む印刷条件と、そのときに要した印刷時間との関係を示すデータを記憶することにより、前記印刷条件と前記印刷時間との関係を示すデータベースを作成するデータベース作成工程と、
前記データベースに基づいて、一枚の印刷用紙の印刷を行うのに標準的に必要となる単位標準時間データを求めて記憶する第１記憶工程と、
次に印刷を行う印刷ジョブの印刷条件と、前記データベースのうちの一部のデータの組み合わせとに基づいて、次に印刷を行う印刷ジョブに要する予想処理時間を補正するための処理時間補正データを作成して記憶する第２記憶工程と、
次に印刷を行う印刷ジョブの印刷条件に基づいて、前記単位標準時間データから予想処理時間を演算する演算工程と、
前記処理時間補正データを利用して前記予想処理時間を補正する補正工程と、
を備えたことを特徴とする印刷機における予想処理時間演算方法。
【請求項２】
請求項１に記載の印刷機における予想処理時間演算方法において、
前記第２記憶工程においては、印刷枚数、印刷用紙の種類、インキの種類、印刷色数、絵柄面積率、表面または裏面印刷の別、および、印刷機の機内温度のパラメータの組み合わせのうち、前記データの総数が一定以上であり、かつ、前記データの偏差が一定以下となるパラメータの組み合わせを利用して前記処理時間補正データを作成する印刷機における予想処理時間演算方法。
【請求項３】
印刷ジョブに要する予想処理時間を演算する印刷機における予想処理時間演算装置において、
各印刷ジョブを実行する毎に、印刷枚数、印刷用紙の種類、インキの種類、印刷色数、絵柄面積率、表面または裏面印刷の別、および、印刷機の機内温度のパラメータのうちの複数のパラメータを含む印刷条件と、そのときに要した印刷時間との関係を示すデータを記憶することにより、前記印刷条件と前記印刷時間との関係を示すデータベースを作成するデータベース作成手段と、
前記データベースに基づいて、一枚の印刷用紙の印刷を行うのに標準的に必要となる単位標準時間データを求めて記憶する第１記憶手段と、
次に印刷を行う印刷ジョブの印刷条件と、前記データベースのうちの一部のデータの組み合わせとに基づいて、次に印刷を行う印刷ジョブに要する予想処理時間を補正するための処理時間補正データを作成して記憶する第２記憶手段と、
次に印刷を行う印刷ジョブの印刷条件に基づいて、前記単位標準時間データから予想処理時間を演算する演算手段と、
前記処理時間補正データを利用して前記予想処理時間を補正する補正手段と、
を備えたことを特徴とする印刷機における予想処理時間演算装置。
【請求項４】
請求項３に記載の印刷機における予想処理時間演算装置において、
前記第２記憶手段は、印刷枚数、印刷用紙の種類、インキの種類、印刷色数、絵柄面積率、表面または裏面印刷の別、および、印刷機の機内温度のパラメータの組み合わせのうち、前記データの総数が一定以上であり、かつ、前記データの偏差が一定以下となるパラメータの組み合わせを利用して前記処理時間補正データを作成する印刷機における予想処理時間演算装置。
【発明の詳細な説明】
【技術分野】
【０００１】
この発明は、印刷ジョブに要する予想処理時間を演算する印刷機における予想処理時間演算方法および予想処理時間演算装置に関する。
【背景技術】
【０００２】
工数見積を出力して工程管理に役立て、高価な印刷機を効率的に使用するために、印刷ジョブに要する予想処理時間を演算することが行われている。例えば、特許文献１には、工程をスケジューリングすることにより、効率的な工程管理を行うための画像形成システムが提案されている。
【特許文献１】特開２００４−３１０７４６
【発明の開示】
【発明が解決しようとする課題】
【０００３】
上述した特許文献１に記載の画像形成システムにおいては、ジョブの種類や組み合わせに応じて、その時点での適切な情報を利用することができないことから、精度の高い予想処理時間を得ることは困難であった。
【０００４】
この発明は上記課題を解決するためになされたものであり、処理時間の予想を正確に実行することが可能な印刷機における予想処理時間演算方法および予想処理時間演算装置を提供することを目的とする。
【課題を解決するための手段】
【０００５】
請求項１に記載の発明は、印刷ジョブに要する予想処理時間を演算する印刷機における予想処理時間演算方法において、各印刷ジョブを実行する毎に、印刷枚数、印刷用紙の種類、インキの種類、印刷色数、絵柄面積率、表面または裏面印刷の別、および、印刷機の機内温度のパラメータのうちの複数のパラメータを含む印刷条件と、そのときに要した印刷時間との関係を示すデータを記憶することにより、前記印刷条件と前記印刷時間との関係を示すデータベースを作成するデータベース作成工程と、前記データベースに基づいて、一枚の印刷用紙の印刷を行うのに標準的に必要となる単位標準時間データを求めて記憶する第１記憶工程と、次に印刷を行う印刷ジョブの印刷条件と、前記データベースのうちの一部のデータの組み合わせとに基づいて、次に印刷を行う印刷ジョブに要する予想処理時間を補正するための処理時間補正データを作成して記憶する第２記憶工程と、次に印刷を行う印刷ジョブの印刷条件に基づいて、前記単位標準時間データから予想処理時間を演算する演算工程と、前記処理時間補正データを利用して前記予想処理時間を補正する補正工程とを備えたことを特徴とする。
【０００６】
請求項２に記載の発明は、請求項１に記載の発明において、前記第２記憶工程においては、印刷枚数、印刷用紙の種類、インキの種類、印刷色数、絵柄面積率、表面または裏面印刷の別、および、印刷機の機内温度のパラメータの組み合わせのうち、前記データの総数が一定以上であり、かつ、前記データの偏差が一定以下となるパラメータの組み合わせを利用して前記処理時間補正データを作成する。
【０００７】
請求項３に記載の発明は、印刷ジョブに要する予想処理時間を演算する印刷機における予想処理時間演算装置において、各印刷ジョブを実行する毎に、印刷枚数、印刷用紙の種類、インキの種類、印刷色数、絵柄面積率、表面または裏面印刷の別、および、印刷機の機内温度のパラメータのうちの複数のパラメータを含む印刷条件と、そのときに要した印刷時間との関係を示すデータを記憶することにより、前記印刷条件と前記印刷時間との関係を示すデータベースを作成するデータベース作成手段と、前記データベースに基づいて、一枚の印刷用紙の印刷を行うのに標準的に必要となる単位標準時間データを求めて記憶する第１記憶手段と、次に印刷を行う印刷ジョブの印刷条件と、前記データベースのうちの一部のデータの組み合わせとに基づいて、次に印刷を行う印刷ジョブに要する予想処理時間を補正するための処理時間補正データを作成して記憶する第２記憶手段と、次に印刷を行う印刷ジョブの印刷条件に基づいて、前記単位標準時間データから予想処理時間を演算する演算手段と、前記処理時間補正データを利用して前記予想処理時間を補正する補正手段とを備えたことを特徴とする。
【０００８】
請求項４に記載の発明は、請求項３に記載の発明において、前記第２記憶手段は、印刷枚数、印刷用紙の種類、インキの種類、印刷色数、絵柄面積率、表面または裏面印刷の別、および、印刷機の機内温度のパラメータの組み合わせのうち、前記データの総数が一定以上であり、かつ、前記データの偏差が一定以下となるパラメータの組み合わせを利用して前記処理時間補正データを作成する。
【発明の効果】
【０００９】
請求項１乃至請求項４に記載の発明によれば、処理時間の予想を正確に実行することが可能となる。
【発明を実施するための最良の形態】
【００１０】
以下、この発明の実施の形態を図面に基づいて説明する。先ず、この発明を適用する印刷機の構成について説明する。図１はこの発明を適用する印刷機の概要図である。
【００１１】
この印刷機は、第１、第２の版胴１１、１２に保持された画像が記録されていない印刷版に画像を記録して製版した後、この印刷版に供給されたインキを第１、第２のブランケット胴１３、１４を介して第１、第２の圧胴１５、１６に保持された印刷用紙に転写することにより４色の印刷を行うものである。
【００１２】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を第１の圧胴１５に渡すための給紙胴１７と、第１の圧胴１５から受け取った印刷用紙を第２の圧胴１６に渡すための渡し胴１８と、第２の圧胴１６から受け取った印刷用紙を排紙部３２に排出するためのチェーン２３をスプロケット２２との間で巻回した排紙胴１９と、印刷用紙に印刷された画像を撮像するための撮像部６０とを有する。
【００１３】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００１４】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙の先端を保持して搬送するための図示しないグリッパを有する。
【００１５】
圧胴１５に隣接して配設された給紙胴１７は、第１、第２の圧胴１５、１６と同一の直径を有する。この給紙胴１７は、その各回転毎に、給紙部３１から１枚ずつ供給された印刷用紙の先端部を図示しないグリッパにより保持して搬送する。グリッパにより保持された印刷用紙の先端部は、給紙胴１７から第１の圧胴１５への印刷用紙の受け渡し時に、第１の圧胴１５のグリッパにより保持される。
【００１６】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００１７】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷用紙の受け渡し時に、排紙胴１９のいずれかのグリッパにより保持される。そして、この印刷用紙は、チェーン２３の移動に伴って、排紙部３２上に排出される。
【００１８】
前記給紙胴１７の端部に付設されたギヤは、従動プーリ２５と同芯状に配設されたギヤ２６と連結している。そして、モータ２７の駆動により回転する駆動プーリ２８と従動プーリ２５との間には、ベルト２９が巻回されている。このため、給紙胴１７は駆動モータ２７の駆動により回転する。一方、第１、第２の版胴１１、１２、第１、第２のブランケット胴１３、１４、第１、第２の圧胴１５、１６、給紙胴１７、渡し胴１８および排紙胴１９は、各々その端部に付設されたギヤにより連結されている。このため、駆動モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００１９】
第１の版胴１１の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂとが配置されている。また、第２の版胴１２の周囲には、印刷版に例えばマゼンタ（Ｍ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２０】
さらに、第１の版胴１１または第２の版胴１２の周囲には、それぞれ、第１の版胴１１の外周部に印刷版を供給するための給版部３３と、第２の版胴の外周部に印刷版を供給するための給版部３４と、第１の版胴１１の外周部に装着された印刷版に画像を記録するための画像記録装置３５と、第２の版胴１２の外周部に装着された印刷版に画像を記録するための画像記録装置３６とが配置されている。
【００２１】
図２は、この印刷機の主要な電気的構成を示すブロック図である。
【００２２】
この印刷機は、装置全体を制御する制御部８０を備える。この制御部８０は、後述するデータベースを記憶するための記憶部８２と接続されている。この制御部８０は、インターフェース８４を介して、インキ供給装置２０、湿し水供給装置２１、画像記録装置３５、３６、撮像部６０等における駆動部等の駆動信号を発生させる駆動回路８５と接続されている。また、この制御部８０は、液晶を利用したタッチパネル方式のコントロールパネルからなり、データの入力と画像の表示が可能な入出力部８７と接続されている。さらに、この制御部８０は、インターフェース８４を介して、外部の工程管理システム８６と接続されている。
【００２３】
印刷機はこの制御部８０により制御され、後述する製版動作およびインキと湿し水の供給動作を含む印刷動作と、この発明に係る予想処理時間演算動作とを実行する。この制御部８０は、後述するように、この発明に係るデータベース作成手段、演算手段および補正手段として機能する。また、記憶部８２は、この発明に係る第１記憶手段および第２記憶手段として機能する。
【００２４】
上述した構成を有する印刷機においては、給版部３３における供給カセット４１から引き出された印刷版はカッター４２により所定のサイズに切断される。そして、切断されたシート状の印刷版の先端部は、図示しないガイドローラおよびガイド部材により案内され、第１の版胴１１のくわえ爪にくわえられる。そして、第１の版胴１１が図示しないモータの駆動により低速で回転し、印刷版が第１の版胴１１の外周部に巻き付けられ、印刷版の後端部は他方のくわえ爪によりくわえられる。この状態において、第１の版胴１１を高速で回転させながら、画像記録装置３５により第１の版胴１１の外周部に保持された印刷版の表面に変調されたレーザビームを照射し、画像を記録する。
【００２５】
同様に、給版部３４における供給カセット４３から引き出された印刷版はカッター４４により所定のサイズに切断される。そして、切断されたシート状の印刷版の先端部は、図示しないガイドローラおよびガイド部材により案内され、第２の版胴１２のくわえ爪にくわえられる。そして、第２の版胴１２が図示しないモータの駆動により低速で回転し、印刷版が第２の版胴１２の外周部に巻き付けられ、印刷版の後端部は他方のくわえ爪によりくわえられる。この状態において、第２の版胴１２を高速で回転させながら、画像記録装置３６により第２の版胴１２の外周部に保持された印刷版の表面に変調されたレーザビームを照射し、画像を記録する。
【００２６】
なお、第１の版胴１１の外周部には、ブラックのインキで印刷を行うための印刷版と、シアンのインキで印刷を行うための印刷版とが装着される。これら２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンタのインキで印刷を行うための印刷版と、イエローのインキで印刷を行うための印刷版と装着される。これら２枚の印刷版も、均等に振り分けられた状態となる位置に配置され、画像記録装置３６はこれらの印刷版に画像を記録して、製版工程が終了する。
【００２７】
製版工程が完了すれば、第１、第２の版胴１１、１２上の印刷版を用いて印刷用紙に印刷を行う印刷工程を実行する。この印刷工程は、次のようにして実行される。
【００２８】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００２９】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００３０】
第１の圧胴１５が２回転すれば、印刷用紙は第１の圧胴１５から渡し胴１８を介して第２の圧胴に渡される。印刷用紙を受け取った第２の圧胴１６が回転を続けると、第２の圧胴１６は、第２の版胴１２および第２のブランケット胴１４の１／２の直径を有することから、第２の圧胴１６の外周部に保持された印刷用紙には、その１回転目においてマゼンタのインキが、また、その２回転目においてイエローのインキが転写される。
【００３１】
このようにして、４色の印刷が終了した印刷用紙の先端部は、第２の圧胴１６から排紙胴１９に渡される。そして、４色の印刷が終了した印刷用紙は、一対のチェーン２３の駆動により、排紙部２８に向けて搬送されて排出される。このとき、搬送中の印刷用紙は、撮像部６０により撮影される。
【００３２】
印刷工程が終了すれば、印刷に使用した印刷版を排出する。そして、図示しないブランケット胴洗浄装置により第１、第２のブランケット胴１３、１４を洗浄して印刷工程を終了する。
【００３３】
次に、この発明に係る予想処理時間演算方法について説明する。図３は、この発明に係る予想処理時間演算工程を示すフローチャートである。
【００３４】
この印刷機を利用して印刷を行う場合には、各印刷ジョブを実行する毎に、印刷枚数、印刷用紙の種類、インキの種類、印刷色数、絵柄面積率、表面または裏面印刷の別、および、印刷機の機内温度のパラメータから成る印刷条件と、そのときに要した印刷時間との関係を示すデータを記憶する。そして、制御部８０は、これらの印刷条件と印刷時間との関係を示すデータベースを作成し、作成したデータベースを記憶部８２に記憶する（ステップＳ１）。
【００３５】
なお、上述した各パラメータは、同一印刷枚数の印刷を行った場合においても、印刷に要する時間に変動を与える要素となるものである。
【００３６】
すなわち、薄い印刷用紙を使用した場合には、給紙ミスを起こしやすく、総印刷時間が長くなる傾向がある。また、薄い印刷用紙に対して絵柄面積率が比較的低い絵柄を印刷した場合には、ファンアウトが生じやすくなり、紙の伸びに対応して画像データの補正を行った印刷版を再製版する必要が生じ、印刷が完了するまでの時間が長くなる。
【００３７】
また、絵柄面積率が例えば１０％程度より小さな値となった場合においては、濃度を安定させるのに時間がかかり、刷り出し枚数が増加して、総印刷時間が長くなる傾向がある。また、絵柄面積率の分布に偏りがあった場合には、湿し水を安定して供給できない等の理由から、刷り出し枚数が増加して、総印刷時間が長くなる傾向がある。
【００３８】
また、両面印刷を行う場合には、片面印刷後に乾燥のための待ち時間が必要となる。また、両面印刷を行う場合には、パウダーの影響で一定枚数を印刷する毎にブランケット胴の洗浄が必要となり、また、印刷版の耐刷枚数も減少することから、短時間で再版が必要となる。このため、これらの場合においても、印刷が完了するまでの時間が長くなる。
【００３９】
さらには、印刷色数が少ない場合や、印刷機の機内温度が高い場合には、総印刷時間が短くなる傾向がある。
【００４０】
このため、各印刷ジョブを実行する毎に、印刷枚数、印刷用紙の種類、インキの種類、印刷色数、絵柄面積率、表面または裏面印刷の別、および、印刷機の機内温度のパラメータから成る印刷条件を記憶するとともに、このときに要した印刷時間を記憶する。そして、これらの関係を示すデータを順次記憶することにより、これらの印刷条件と印刷時間との関係を示すデータベースを作成し、作成したデータベースを記憶する。これにより、印刷条件と印刷時間との関係を示すデータが順次蓄積され、データ量の多いデータベースが作成される。
【００４１】
次に、上記データベースにおける印刷枚数のデータと、このときに要した印刷時間のデータとから、一枚の印刷用紙の印刷を行うのに標準的に必要となる単位標準時間データを求め、この単位標準時間データを記憶部８２に記憶する（ステップＳ２）。
【００４２】
以上の準備工程（ステップＳ１、ステップＳ２）は、各印刷ジョブを実施しているときに、印刷動作と並行して実行される。そして、引き続き、今後、印刷を行う印刷ジョブについて、予想処理時間を演算する。
【００４３】
このときには、先ず、印刷を行う印刷ジョブの印刷条件と、上記データベースのうちの一部の有効なデータの組み合わせとに基づいて、次に印刷を行う印刷ジョブに要する予想処理時間を補正するための処理時間補正データを作成し、作成された処理時間補正データを記憶部８２に記憶する（ステップＳ３）。
【００４４】
この処理時間補正データの作成は、例えば、次のようにして実行される。すなわち、絵柄面積率についての処理時間補正データを作成するときには、図４に示すように、横軸に絵柄面積率を、また、縦軸に処理時間差（単位標準時間データから求めた予想処理時間と実際に印刷に要した処理時間との差）をとり、先に作成したデータベースを利用して過去のデータをプロットする。そして、各プロット点を直線または曲線近似することで、グラフを作成する。
【００４５】
図４に示す実施形態においては、絵柄面積率が１０％程度のときに、αだけ余分に時間を要することがわかる。このため、絵柄面積率が１０％の場合には、予想処理時間に対して、＋α分を追加する。なお、このような絵柄面積率による補正は、各絵柄面積率毎の実行してもよいし、処理時間の変動の大きな絵柄面積率だけに注目して補正するようにしてもよい。
【００４６】
また、例えば印刷機の機内温度についての処理時間補正データを作成するときには、図５に示すように、横軸に機内温度を、また、縦軸に処理時間差（単位標準時間データから求めた予想処理時間と実際に印刷に要した処理時間との差）をとり、先に作成したデータベースを利用して過去のデータをプロットする。そして、各プロット点を直線または曲線近似することで、グラフを作成する。そして、このグラフを利用して処理時間補正データを作成する。
【００４７】
この処理時間補正データを作成するときには、上記データベースにおける印刷枚数、印刷用紙の種類、インキの種類、印刷色数、絵柄面積率、表面または裏面印刷の別、および、印刷機の機内温度のパラメータの組み合わせのうち、そのデータの総数が一定以上であり、かつ、データの偏差が一定以下となるパラメータの組み合わせのみが使用される。
【００４８】
すなわち、各パラメータは、多くの条件を利用するほど、補正データの精度は向上する。その一方で、印刷結果等は日々変動するため、各データの有効期限は２週間程度となっている。このような場合には、データの総数が不足し、母数の減少によりデータの信頼性が低下する。一方、上記のパラメータのうち、経時的な変動要素が少ないものも存在する。
【００４９】
このため、データベースにおける印刷枚数、印刷用紙の種類、インキの種類、印刷色数、絵柄面積率、表面または裏面印刷の別、および、印刷機の機内温度のパラメータの組み合わせのうち、次に印刷を行う印刷ジョブの印刷条件と対応する組み合わせのうち、有効なデータの総数が一定以上である組み合わせだけが使用される。その総数としては、例えば、８個以上の組み合わせとなるものが使用される。
【００５０】
そして、データの総数が一定以上のパラメータの組み合わせのなかで、その偏差が一定以下の偏差となるものが最も多い組み合わせが最終的に使用される。この偏差の値としては、例えば、５分程度の値が使用される。このように、そのデータの総数が一定以上である組み合わせだけを使用し、かつ、その中でも偏差が一定以下の偏差となるものが最も多い組み合わせを利用することにより、処理時間補正データを適正化して、処理時間の予想をより正確に実行することが可能となる。
【００５１】
次に、次に印刷を行う印刷ジョブの印刷条件のうちの印刷枚数と、記憶部８２に記憶した単位標準時間データとから、予想処理時間を演算する（ステップＳ４）。そして、この予想処理時間を、記憶部８２に記憶に記憶した処理時間補正データにより補正することで、最終的な予想処理時間を得る（ステップＳ５）。
【００５２】
なお、上述した実施形態においては、処理に要する時間を時間のままで管理しているが、これを印刷枚数やヤレ紙の枚数に換算して管理するようにしてもよい。
【図面の簡単な説明】
【００５３】
【図１】この発明を適用する印刷機の概要図である。
【図２】この印刷機の主要な電気的構成を示すブロック図である。
【図３】この発明に係る予想処理時間演算工程を示すフローチャートである。
【図４】処理時間補正データの作成に利用するグラフである。
【図５】処理時間補正データの作成に利用するグラフである。
【符号の説明】
【００５４】
１１      第１の版胴
１２      第２の版胴
１３      第１のブランケット胴
１４      第２のブランケット胴
１５      第１の圧胴
１６      第２の圧胴
１７      給紙胴
１８      渡し胴
１９      排紙胴
２０      インキ供給装置
２１      湿し水供給装置
２３      チェーン
３１      給紙部
３２      排紙部
３３      給版部
３４      給版部
３５      画像記録装置
３６      画像記録装置
６０      撮像部
８０      制御部
８２      記憶部
８５      駆動回路
８６      工程管理システム
８７      入出力部
【図１】
2008046836.tif 000003
【図２】
2008046836.tif 000004
【図３】
2008046836.tif 000005
【図４】
2008046836.tif 000006
【図５】
2008046836.tif 000007